(57)【要約】【課題】見切り材と保水プレート及び保水プレートを用いたシステム庭園の形成方法において、軽量な見切り材を必要数、自由に選択して、自由な大きさ及び形状に組み付けて、屋上の広さや好みに応じたシステム花壇を作り上げることができ、しかも、安価にて製造可能とする。【解決手段】ＰＳ樹脂発泡体を素材とする側面断面視において略Ｌ形状を有し、底板部の先端上面に沿った箇所又はその近傍箇所に突条、凹条、突起、傾斜面のいずれかよりなる係止部２ｃを有する見切り材２と、ＰＳ樹脂発泡体を素材としており、側縁に見切り材２の係止部２ｃに対応する被係止部４ｂを有し、上面に複数の保水穴４ｃと排水用小孔４ｅとを有してなる保水プレート４を、複数個用いてシステム花壇を形成する。【選択図】　　図１
2004024053.tif 000002
【特許請求の範囲】
【請求項１】
屋上庭園や花壇などに用いられる見切り材であって、
樹脂発泡体を素材とする側面断面視において略Ｌ形状を有するブロック体にて形成され、該ブロック体の底板部の先端上面に沿った箇所又はその近傍箇所に突条、凹条、突起、傾斜面のいずれかよりなる係止部を有し、該ブロック体の底面に排水溝を有してなることを特徴とする見切り材。
【請求項２】
平面視における大まかな形状が、長方体形状、出隅Ｌ形状、出隅Ｒ形状、入隅Ｌ形状、入隅Ｒ形状、円弧形状のいずれかの形状を有してなる請求項１に記載の見切り材。
【請求項３】
請求項１又は２に記載の見切り材の側面どうしを連結して形成した土止め枠内に敷設する樹脂発泡体を素材とするプレートであって、側縁に見切り材の係止部に対応する被係止部を有し、上面に複数の保水穴及び／又は排水用小孔を有してなることを特徴とする保水プレート。
【請求項４】
面方向に複数個組み合わせることが可能であり、組み合わせにより形成された全体形状の周側縁に、見切り材の係止部に対応する被係止部を有してなる請求項３に記載の保水プレート。
【請求項５】
請求項１又は２に記載の見切り材と請求項３又は４に記載の保水プレートとを組み合わせ、更には、所望により請求項１又は２に記載の見切り材の上に樹脂発泡体で形成された長方体形状を有する上段用の見切り材を積み上げて、隣り合う見切り材どうしを細幅の金属板を半分づつ突き刺すことにより所望の形状及び大きさ並びに高さの花壇枠になるように連結し、この花壇枠内に保水プレートを敷設し、この保水プレート上に土壌を入れて使用することを可能としたことを特徴とするシステム庭園の形成方法。
【発明の詳細な説明】
【０００１】
【発明の属する技術分野】
本発明は、屋上庭園や花壇などの形成材として用いる見切り材と、この見切り材を組み合わせて形成した枠内に敷設する保水プレートと、これら見切り材や保水プレートを用いたシステム庭園の形成方法に関する。
【０００２】
【従来の技術】
ビルの屋上などに庭園を作って植物を育てる、いわゆる屋上緑化が最近とくに注目を集めており、屋上緑化は、殺風景なビルの屋上に緑あふれる心豊かな自然環境を作り出すばかりでなく、真夏には、強い陽射しによるビル内及び周辺の温度上昇を防ぐなど、都市環境の向上が見込まれることから、最近では、国土交通省を含め地方自治体も推奨するに至っている。
屋上緑化を含め、コンクリート面上に庭園や花壇を形成するための技術及び方法については、従来において各種のものが知られている。大きく分けると、（１）コンクリート製の基礎ブロック、連結ボルトで連結可能である見切りブロック、レンガ、庭石などのいずれかを用いて土止め用の枠を作り、この枠内に土壌を投入して庭園を作る、ごく一般的な方法、（２）多孔質基材や保水マットなどからなる緑化基材を多数敷設して植物を生育させる技術、（３）土壌又は水を入れたプランターを多数並べて設置して植物を育成する方法などが挙げられる。
【０００３】
【発明が解決しようとする課題】
しかしながら、屋上緑化を図る場合、上述した（１）に記載の技術を採ると、コンクリート製の見切りブロックやレンガ或いは庭石などの重量物を屋上まで荷揚げするための労力負担が大きく、しかも、これらを固定するために、セメント、砂、水などを混ぜてコンクリートで塗り固めるという、手間と時間とコストの掛かる作業が必要であった。しかも、緑化面と屋上のコンクリートの間に排水施工をしなければ内部で水溜りができて、植物の育成環境が悪くなり、屋上のコンクリート面の耐久性にも影響を与えるが、この排水施工のコスト負担が大きかった。この他にも、屋上のコンクリート面に植物の根が張り付いてコンクリート面が傷み易く、庭園の模様替えや屋上の防水修復工事が簡単にできないなどの不具合があった。
【０００４】
上述した（２）に記載の多孔質基材や保水マットなどからなる緑化基材を屋上に多数敷設して植物を生育させる技術は、最近数多くのものが開発され、各種の緑化基材が市販されているが、いずれも多くの枚数の緑化基材を用いる必要があり、この緑化基材の単価も比較的高く、しかも、厚さがあまり無いために立体感の乏しい平面的な庭しか出来なかった。
【０００５】
上述した（３）に記載の屋上に土壌又は水を入れたプランターを多数並べて設置して植物を育成する方法は、設置及び模様替えが比較的簡単にでき、しかも、排水対策も十分であるが、多数個のプランターを並べると煩雑感を与え、広い一体感のある庭園を作り出すことができないという不具合があった。
【０００６】
そこで本発明者は、これら従来技術による不具合を解消する新技術について検討を始めた。そして、その後における鋭意・検討の結果、ついに本発明を完成し、試作品を作り出す迄に至った。
このような経緯を完成するに至った本発明は、軽量であり、必要な数を自由に選択して、自由な大きさ及び形状に組み付けて、屋上の広さや好みに応じたシステム花壇を作り上げることができ、しかも、安価にて製造できる見切り材と保水プレートを提供すること、及びこれら見切り材と保水プレートを用いたシステム庭園の形成方法を提供することを課題とする。
【０００７】
【課題を解決するための手段】
以上の課題を解決する請求項１に記載の発明は、樹脂発泡体を素材とする側面断面視において略Ｌ形状を有するブロック体にて形成され、該ブロック体の底板部の先端上面に沿った箇所又はその近傍箇所に突条、凹条、突起、傾斜面のいずれかよりなる係止部を有し、該ブロック体の底面に排水溝を有してなることを特徴とする見切り材である。
【０００８】
請求項１に記載の発明は、ビルの屋上などのようにコンクリート面で覆われている所に庭園や花壇を作るときに用いられる土止め材であり、樹脂発泡体で形成されて軽量化と低コスト化が図られている。そして、側面断面視において略Ｌ形状を有するブロック体にて形成されて安定した姿勢で設置できるようにしてある。なお、見切り材は、自然な雰囲気を醸（かも）し出すために、底面及び左右の側面以外の外面には、多少の緩やかな凹凸が形成されている。
庭園や花壇を形成するときには、見切り材を側方に連結して花壇枠を形成し、底板部の先端はこの花壇枠の内側に位置させる。このようにして複数個の見切り材を組み付けた後、花壇枠の内側に後述する保水プレートが敷設される。
この見切り材に形成されている係止部は、保水プレートの端部と係合して、見切り材が花壇枠内に投入した土壌に押されて外方向に移動しないようにするためにあり、突条、凹条、突起、傾斜面のいずれかにて形成されている。突条、凹条は１本のものを基本とするが、複数に分断されたもの、前後２列に形成されたものでも良い。突起は底板の先端上面に沿った箇所又はその近傍箇所に間隔を設けて２個以上設けることが好ましい。傾斜面は底板の先端に向かうに従って高くなる方向に傾斜させたものが該当する。
花壇内は、保水プレート上に土壌を投入することによって、庭園ないし花壇になる。なお、見切り材の下面がコンクリート面に密着していると、雨や散水などによって花壇内に浸透した水の一部が保水プレート下方に流れてコンクリート面に溜まることが予想される。このため、見切り材の下面に排水溝を設けてコンクリート面に水が溜まらないようにしてある。
ところで、樹脂発泡体は、通常白色のものが多く、見切り材も白色であると、庭園や花壇の土止めとしては見栄えが悪い。このため、見切り材の外面が塗料で塗られて着色されている、或いは樹脂の製造時に着色剤を混入させて樹脂発泡体全体が着色されている。着色は、例えば、庭園や花壇の土止め材としてふさわしい色である煉瓦色、土色などが挙げられる。
【０００９】
請求項２に記載の発明では、請求項１に記載の見切り材が、平面視における大まかな形状が、長方体形状、出隅Ｌ形状、出隅Ｒ形状、入隅Ｌ形状、入隅Ｒ形状、円弧形状のいずれかの形状を有してなる。
【００１０】
このような各種形状の見切り材を用いると、平面視矩形状、平面視円形状、変形した形状、上方に積み上げた形状、多段形状のシステム花壇の製作が可能となる。
【００１１】
請求項３に記載の発明では、請求項１又は２に記載の保水プレートが、見切り材の側面どうしを連結して形成した花壇枠内に敷設する樹脂発泡体を素材とするプレートであって、側縁に見切り材の係止部に対応する被係止部を有し、上面に複数の保水穴及び／又は排水用小孔を有してなる。
【００１２】
このように保水プレートの周囲に被係止部が設けられており、しかも、この被係止部が見切り材の係止部に係止できるようになっていると、見切り材が保水プレートによって押えられ、しかも、その上から土壌が投入されるため、土壌の重みによって見切り材はしっかりと押え止められる。
また、保水プレートに保水穴が設けられていると、雨や注水による水は、この保水穴内に貯まるので、土壌は乾燥しない。また、多量の雨や注水による水は、水抜き孔から外部に排出される。
【００１３】
請求項４に記載の発明では、請求項３に記載の保水プレートは、面方向に複数個を組み合わせることが可能であり、この組み合わせにより形成された全体形状の周側縁に、見切り材の係止部に対応する被係止部を有してなる。
【００１４】
本発明のシステム花壇は、見切り材を自由な形状に組み付けて花壇枠を作り、その中に保水プレートを入れて出来上がる。このように花壇枠の形状が自由に設計できるためには、保水プレートの広さや形状もこれに合わせた形状にすることが望まれ、特に、花壇枠を広く作り上げる場合には、１枚の保水プレートよりも、複数枚のものを自由に組み合わせて使用できることが望まれる。このため、本請求項では、保水プレートを組み合わせて使用できるようにした。
【００１５】
請求項５に記載の発明は、請求項１又は２に記載の見切り材と請求項３又は４に記載の保水プレートとを組み合わせ、更には、所望により請求項１又は２に記載の見切り材の上にＰＳ樹脂発泡体で形成された長方体形状を有する上段用の見切り材を積み上げて、隣り合う見切り材どうしを細幅の金属板を半分づつ突き刺すことにより所望の形状及び大きさ並びに高さの土止め枠になるように連結し、この土止め枠内に保水プレートを敷設し、この保水プレート上に土壌を入れて使用することを可能としている。本発明の及ぶ範囲は、見切り材や保水プレートだけでなく、これらを用いたシステム花壇を作り上げる形成方法にもある。
【００１６】
【発明の実施の形態】
以下、本発明に係る見切り材と、この見切り材を組み合わせて形成した花壇枠内に敷設する保水プレートと、見切り材と保水プレートを用いて形成したシステム庭園の各実施の形態について説明する。
図１は本発明の第１実施形態におけるシステム花壇を側面断面図で示し、図２はこのシステム花壇を斜視図で示している。これら各図に示す第１実施形態のシステム花壇１Ａは、側面断面視が略Ｌ形状を有するブロック体からなる複数個の見切り材２，２・・の側面どうしを継ぎ合わせて形成した花壇枠３内に、平面視が略矩形状を有する保水プレート４が配置（面方向に継ぎ合わせて敷設したものであってもよい）されており、見切り材２と保水プレート４は何れも２０倍程度の発泡倍率を有するＰＳ樹脂発泡体を素材としている。そして、このシステム花壇１Ａ内に土壌５を入れて使用する。
【００１７】
この第１実施形態のシステム花壇１Ａに用いられている見切り材２は、平面視略矩形状を有する見切り材２１と平面視Ｌ形状を有する出隅用の見切り材２２とからなる２種のものが用いられ、いずれも底板部２ａの先端の上面に沿った箇所に突条からなる係止部２ｃが形成されており、保水プレート４の外周端に沿った下面にも係止部２ｃに対応する突条からなる被係止部４ｂが形成された基本形状を有する。
【００１８】
この第１実施形態のシステム花壇１Ａに用いられている保水プレート４は、その上面４ａに多数の保水穴４ｃと排水用の小孔４ｅが設けられ、下面には多数の突部４ｇが等間隔毎に設けられており、この保水プレート４の下面の外周近傍箇所に凹段部４ｆが形成され、その外周端に下方に向けた被係止部４ｂが形成されたものが用いられている。
【００１９】
そして、保水プレート４側の被係止部４ｂを、見切り材２側の係止部２ｃと立設部２ｂの間に位置する底板部上面２ｄに位置させてある。このようにすると、保水プレート４上に投入した土壌５の重量によって、保水プレート４を介して見切り材２，２・・をしっかりと下方に押し付けて固定することができ、しかも、双方の係止部２ｃ，４ｂとが隣り合って位置しているために、見切り材２に多少の外圧が加わっても、保水プレート４から離れたりしない。また、見切り材２と保水プレート４の間から土壌５が流れたりしない。
【００２０】
図３の（ａ）（ｂ）（ｃ）は見切り材２１を示している。これら各図に示すように、この見切り材２１は、横方向に連結して用いられるものであり、上述した基本形状に加えて、平面において略長方形状を有しており、底板部２ａの底面には横方向と前後方向に向けた排水用の溝２ｇ，２ｇが形成され、立設部２ｂの両側面２ｆ，２ｆにはコーキング材（図示なし）を詰めるための上下方向に向けた２本の溝２ｅが形成されたもので出来ている。そして、この見切り材２１の底面に、見切り材２１を塗装するときに図示しない固定棒に突入させて持ち上げた姿勢で支持させるための穴２ｋ，２ｋが形成されている。なお、最上部に配置される見切り材に設けられる溝２ｅは、上端にまで到達していないものとする方が好ましい。
この見切り材２１の大きさは、本発明による試作品の１つとして挙げられるものは、横幅（Ｌ２）が２００ｍｍ、高さ（Ｈ）が１００ｍｍ、立設部２ｅの前後幅（Ｄ１）が５０ｍｍ、底面部２ａの前後幅（Ｄ２）が１００ｍｍ、底面部２ａの高さ（ｈ）が１５ｍｍの大きさを有する。
【００２１】
図４の（ａ）は、見切り材２１，２１どうしを連結する方法を示し、（ｂ）はその連結後の状態を示している。これら各図に示すように、見切り材２，２どうしの連結には連結用金具６が用いられる。この連結用金具６は、長手方向の両端に刺込部６ａ，６ｂを有し、長手方向を２分する中央箇所に平面部６ｃが設けられた金属棒で形成されたものである。連結用金具６の使用は、その一方の刺込部６ａを、隣り合う一方の見切り材２の側面２ｆに刺し込んだ後、突出する他方の刺込部６ｂに他方の見切り材２の側面２ｆを押し付けて、この刺込部６ｂが他方の見切り材２に刺し込まれるようにして行なう。このようにすると、図４の（ｂ）に示すように、隣り合う見切り材２，２どうしを連結用金具６で連結することができ、特に見切り材２の前後方向のズレを防ぐことができる。そして、見切り材２，２の側面２ｆ，２ｆどうしを接面させることによりコーキング材を詰めるための溝２ｅが２本の孔になり、この孔内にコーキング材を詰めると、見切り材２，２の側面２ｆ，２ｆ間の漏水対策が図れる。
【００２２】
連結用金具６は、上述したものに限定されない。例えば、図５の（ａ）（ｂ）に示す他の形状の連結用金具を用いても良い。図５の（ａ）に示す連結用金具６１は、長手方向を２分する中央から一方の片側半分が細幅の刺込部６１ａにて形成され、他方の片側半分が広幅の刺込部６１ｂにて形成され、中央の段部に左右に折曲させた鍔６１ｃを有する。図５の（ｂ）に示す連結用金具６２は、１本の金属棒の中央に鍔６２ｃを固定したもので、この鍔６２ｃを中心とする両側を刺込部６２ａ，６２ｂとしてある。これら連結用金具６１，６２は、上述した連結用金具６と同じ方法により使用される。なお、図示していないが、細幅の金属板の両端を直角方向に折曲させた鎹（かすがい）を、隣り合う見切り材の底面や適当な箇所に突き刺して、隣り合う見切り材どうしを連結させるようにしても良い。
【００２３】
ところで、上述した横幅が２００ｍｍの見切り材２１の他にも、平面視略長方形状を有する見切り材として、例えば、図６の斜視図に示す横幅が比較的短い見切り材２２を用いても良い。図６に示す見切り材２２の大きさは、横幅（Ｌ２）が１００ｍｍあり、他の箇所の寸法は上述した見切り材２１の寸法と同じ寸法のものである。図示していないが、この他にも、高さが２００ｍｍの見切り材を用いても良い。つまり、見切り材の大きさは、好適なものとして上述したものを挙げたが、必ずしもこれら寸法に限定されない。
【００２４】
図７は見切り材２３を斜視図で示している。図７に示すように、この見切り材２３は、上述した基本形状を有し、しかも、平面視において直角方向に折曲した出隅Ｌ形状を有しており、その高さ（Ｈ）、立設部２ｅの前後幅（Ｄ１）、底面部２ａの前後幅（Ｄ２）、底面部２ａの高さ（ｈ）は、見切り材２１と同じ寸法である。そして、見切り材２１と同様に、排水用の溝２ｃ，２ｄと、コーキング材を入れるための溝２ｇ，２ｇが形成されている。
【００２５】
図１ではシステム花壇１Ａを判り易く示すために、１枚の保水プレート４が用いられているが、花壇枠３が広い場合には、複数枚の保水プレート４，４・・を面方向に連結させて敷設する。その１例である図８は、２枚の保水プレート４，４を連結用金具６０を用いて連結する方法を斜視図で示している。ここに示した連結用金具６０は、中央箇所に鍔部を有するものを用いている。
【００２６】
２枚の保水プレート４，４の連結は、必ずしも図８に示す連結方法に限らず、例えば、図９に示す連結方法を採っても良い。図９は発泡スチロールで形成された長尺形状の連結用部材７０を用いて２枚の保水プレート４，４を連結させた状態を正面断面図で示している。この方法では、上面に長尺方向に向けた比較的幅広い凹溝７０ａが形成された連結部材７０が用いられており、この凹溝７０ａ内に、隣り合う２枚の保水プレート４，４の被係止部４ｂ，４ｂを落とし込ませて、２枚の保水プレート４，４が離反しないようにする。このようにすると、２枚の保水プレート４，４の間から土壌５が落ちこぼれてコンクリート面Ｋの水捌けが悪くなる事態を防ぐことができる。
【００２７】
図１０は保水プレート４の接地状態を正面断面図で示している。図１０に示すように、保水プレート４を敷設するコンクリート面Ｋは必ずしも平坦面であるとは限らず、多少の凹凸を有していたり、敷設時に気が付かない程度の小石が落ちていることが少なくない。これらの上に保水プレート４が乗ると、保水プレート４の接地状態が不安定になり易いが、本実施例のように、保水プレート４の下面に多数の突部４ｇが等間隔毎に形成されていると、コンクリート面Ｋの凹凸や小石を突部４ｇ，４ｇの間に位置させて逃がすことができ、また、この突部４ｇが小さいために潰れることによって、保水プレート４の安定した姿勢が維持でき、保水プレート４が傾いたり、割れたりしない。
【００２８】
図１１の（ａ）は本発明の第２実施形態による平面視正方形のシステム花壇１Ｂを平面図で示し、（ｂ）は同じく正面図で示し、図１２はその一部を破断した正面断面図で示している。これら各図に示すシステム花壇１Ｂは、その大きさ、特に広さが規格サイズとして決められており、しかも、保水プレート４，４・・が複数枚用いられており、各保水プレート４，４・・は、図１に示す保水プレート４と同様の形状のものが用いられている。
【００２９】
このため、図１及び図１１、図１２に示すように、保水プレート４を、その下端部の突部４ｇをコンクリート面などに点接地させて敷設すると、保水プレート４とコンクリート面Ｋの間に隙間が生じて、水捌けが良くなり、しかも、コンクリート面に多少の凹凸や小石等があっても、この突部４ｇの先端が潰れてこれを吸収し易くなっている。このため、保水プレート４を安定した姿勢で敷設できる。
【００３０】
このように保水プレート４を敷設すると、土壌面に降った雨水や散水は、その一部が土壌内に止まり、また、その一部は土壌面を浸透して保水プレート４の保水穴４ｃ内に溜まり、多くは、保水プレート４の排水用の小孔４ｅを通じて保水プレート下に流れて、見切り材２の下面に形成されている排水溝２ｇを通じて外部に流出される。
【００３１】
保水穴４ｃ内に溜まった水は、土壌と混じって泥水状態になり、土壌の表面が乾燥したときでも土壌内に湿り気を与える。このため、青天が続き散水を怠っても、土壌内に湿り気がある限り、植物の生育に大きな影響を与えない。保水プレート４は、花壇枠３が小さい場合には１枚ものが用いられるが、多くの場合は、図１２に示すように、花壇枠３内の大きさに合わせて、複数枚の保水プレート４，４・・が面方向に連結して敷設される。各保水プレート４，４・・の連結には、上記の連結用金具６が用いられる。なお、花壇枠３内の広さと連結した保水プレート４，４・・の広さが合わない場合には、保水プレート４の途中部分を適当に切断して使用すればよいが、好ましくは、花壇枠３の広さを幾つかの規格サイズにして、これに合わせた広さの保水プレート４にすることが好ましい。
【００３２】
ところで、本発明に係るシステム花壇は上述した矩形のものに限られず、自由な形状及び大きさのものに設計できる。その１例として、図１３及び図１４に示す実施形態の円形のシステム花壇１Ｃを挙げることができる。図１３は円形のシステム花壇１Ｃ内に土壌を入れた後の状態を斜視図で示し、図１４は円形のシステム花壇１Ｃの一部を破断した平面図で示している。これら各図に示す円形のシステム花壇１Ｃは、図１５の斜視図に示す円弧形状の見切り材２４を複数個組み付けて輪状に形成した花壇枠３内に、保水プレート４１，４２，４２・・を敷設して出来ている。
【００３３】
ここに用いられる見切り材２４は、上述した見切り材２と同様の基本形状を有し、排水用の溝２ｇ，２ｇと、コーキング材を入れるための溝２ｅ，２ｅが形成されている。ここに用いられる保水プレート４は、円形の１枚形状のものであっても構わないが、円形のシステム花壇１Ｃの花壇枠３が広い場合には、例えば、図１４に示す円弧形状の見切り材ように、円形の保水プレート４１の周囲に円弧形状の保水プレート４２，４２・・を連結して使用する。なお、図示していないが、これらの各保水プレート４１，４２，４２・・は、保水プレート４と同様の構造を有する。
【００３４】
図１６の（ａ）は他の形状のシステム花壇１Ｄを平面図で示し、（ｂ）は正面図で示している。これら各図に示すシステム花壇１Ｄの花壇枠３は、出隅用の見切り材２５と、入隅用の見切り材２６と、上述した側面視略Ｌ形状を有する長方形の見切り材２１と、図１８に示す長方体形状の見切り材２９が各複数個、組み付けられて出来ている。図１７の（ａ）は出隅用の見切り材２５を斜視図で示し、（ｂ）は入隅用の見切り材２６を斜視図で示している。
【００３５】
ここに用いられている出隅用の見切り材２５は、平面視において略Ｌ形状を有しており、そのコーナー部分の外周は曲面形状を有する。入隅用の見切り材２６は、平面視において略Ｌ形状を有している。そして、双方の見切り材２５，２６のいずれも、上述した見切り材２と同様の基本形状を有し、排水用の溝２ｃ，２ｄと、コーキング材を入れるための溝２ｇ，２ｇが形成されている。そして、これらの見切り材２５，２６，２の上に正面視において同じ形状の見切り材２７，２８，２９が積み上げられるのであるが、これらの見切り材２５，２６，２の上に積まれる見切り材２７，２８，２９は、それぞれ上端から下端まで同じ寸法のものが用いられている。すなわち、側面視Ｌ形状ではなく矩形のものである。
【００３６】
このように下段の見切り材２５，２６，２の上に見切り材２７，２８，２９を積み上げて固定する場合にも、図１９に示すように、連結用金具６，６が用いられる。連結金具６は下段の見切り材２５，２６，２から刺し込んで行なう。これにより、上段の見切り材２７，２８，２９はしっかりと下段の見切り材２５，２６，２に固定される。
【００３７】
図２０及び図２１の各図はその１例を示している。図２０は３段構造のシステム花壇１Ｅを斜視図で示し、図２１の（ａ）は同じく平面図、（ｂ）は同じく正面図、（ｃ）は同じく正面断面図で示している。これら各図に示すように、３段構造の花壇枠３になるように各見切り材を積み上げていくと、立体感のあるシステム花壇１Ｅが出来上がる。
【００３８】
【発明の効果】
以上、説明した本発明に係る見切り材と保水プレートを用いてシステム花壇を形成すると、例えば、ビルの屋上に庭園を造るとき、これらの材料がＰＳ樹脂発泡体、すなわち発泡スチロールで出来ており、しかも、分割したものを組み付けてシステム花壇に形成することができるため、搬送作業が楽に行なうことができ、低コストで実現できる。特に、システム花壇内では保水プレートによって底上げされているので、多量の土壌を投入する必要がなく、土壌の搬入作業を楽に行なうことができる。
【００３９】
また、見切り材の内側と保水プレートの外周にはそれぞれ相互に係止し合う係止部材が形成されており、しかも、保水プレートの周囲が見切り材の内側に突出した底面部の上に乗り上げて、その上に土壌を被せることができるようになっており、更に、隣り合う各見切り材どうしが連結用部材で固定されているので、見切り材は土壌に押し出されることなく、しっかりと固定される。
【００４０】
また、保水プレートの上面に保水穴が多数設けられているので、適度に土壌に湿り気を与えて、植物の生育環境を良好に保つことができる。しかも、多量の雨が降ったり、多量の給水を行なったときでも、保水プレートには排水用の小孔が設けられているので、システム花壇内が水で溢れたり、システム花壇内の底で水が腐ったりするような事態になるのを無くすことができる。
【００４１】
また、保水プレートの底には多数の突部が形成されているため、排水性が良く、しかも、コンクリート面に凹凸があったり、小石が落ちていても、これらを避けたり、突部を押し潰すことによって、保水プレートを常に安定した姿勢にすることができる。
【００４２】
このような様々な効果をもつ本発明のシステム花壇は、見切り材や保水プレートを自由に組み合わせて、その形状や大きさを自由に設計できるので、屋上の広さや好みに合わせたシステム花壇にすることができる。
【図面の簡単な説明】
【図１】本発明の第１実施形態におけるシステム花壇を示した側面断面図である。
【図２】同じくこのシステム花壇を示した斜視図である。
【図３】（ａ）は見切り材を斜め上前方から見た斜視図、（ｂ）は同じく斜め上後方から見た斜視図、（ｃ）は同じく斜め下から見た斜視図である。
【図４】（ａ）は見切り材どうしを連結する方法を示した斜視図、（ｂ）は同じく連結後の状態を一部を破断して示した正面図である。
【図５】（ａ）は連結用金具の他の形状を示した斜視図、（ｂ）図は連結用金具の更なる他の形状を示した斜視図である。
【図６】横幅が比較的短い見切り材を示した斜視図である。
【図７】出隅用の見切り材を示した斜視図である。
【図８】保水プレートの連結方法を示した斜視図である。
【図９】保水プレートの他の連結方法を示した斜視図である。
【図１０】保水プレートの接地状態を示した正面断面図である。
【図１１】（ａ）は本発明の第２実施形態による平面視正方形のシステム花壇を示した平面図、（ｂ）は同じく正面図である。
【図１２】同じくその一部を破断して示した正面断面図である。
【図１３】円形のシステム花壇を示した斜視図である。
【図１４】同じくその一部を破断して示した平面図である。
【図１５】円弧形状の見切り材を示した斜視図である。
【図１６】（ａ）は他の形状のシステム花壇を示した平面図、（ｂ）は同じく正面図である。
【図１７】（ａ）は出隅用の見切り材を示した斜視図、（ｂ）は入隅用の見切り材を示した斜視図である。
【図１８】長方体形状の見切り材を示した斜視図である。
【図１９】上下方向に見切り材を組み合わせて連結する方法を示した斜視図である。
【図２０】３段構造のシステム花壇を示した斜視図である。
【図２１】（ａ）は同じく平面図、（ｂ）は同じく正面図、（ｃ）は同じく正面断面図である。
【符号の説明】
１Ａ〜１Ｅ　　　システム花壇
２、２１〜２９　　　見切り材
２ａ　　　底板部
２ｂ　　　立設部
２ｃ　　　係止部
２ｄ　　　底板部上面
２ｇ　　排水溝
３　　　花壇枠
４　　　保水プレート
４ａ　　上面
４ｂ　　被係止部
４ｃ　　保水穴
４ｅ　　排水用の小孔
４ｇ　　突部
５　　　土壌
６　　　連結用部材
【図１】
2004024053.tif 000003
【図２】
2004024053.tif 000004
【図３】
2004024053.tif 000005
【図４】
2004024053.tif 000006
【図５】
2004024053.tif 000007
【図６】
2004024053.tif 000008
【図７】
2004024053.tif 000009
【図８】
2004024053.tif 000010
【図９】
2004024053.tif 000011
【図１０】
2004024053.tif 000012
【図１１】
2004024053.tif 000013
【図１２】
2004024053.tif 000014
【図１３】
2004024053.tif 000015
【図１４】
2004024053.tif 000016
【図１５】
2004024053.tif 000017
【図１６】
2004024053.tif 000018
【図１７】
2004024053.tif 000019
【図１８】
2004024053.tif 000020
【図１９】
2004024053.tif 000021
【図２０】
2004024053.tif 000022
【図２１】
2004024053.tif 000023